(57)【要約】【課題】対象の装置に通信装置が備わっていない場合でも障害を検出でき、通知される確率を向上させること。【解決手段】携帯端末装置１０２は、依頼された障害の特徴情報の存在を検知したとき、障害管理サーバ１０４に該検知した位置情報および時間情報を、その障害の特徴情報とともに通知し、障害管理サーバ１０４は、端末装置１０２２に検知した位置情報、時間情報および物品の特徴情報に基づいて推定される障害の位置情報を通知し、端末装置１０２２に出力させる。【選択図】図１
2008242981.tif 000002
【特許請求の範囲】
【請求項１】
探索したい障害および／または該探索したい障害の特徴情報を少なくとも含む探索依頼情報を送ることで、該障害が存在する位置の探索を障害管理サーバに依頼する端末装置と、
前記端末装置からの探索依頼を受け付け、前記探索依頼情報に基づき、少なくとも、個々の障害を識別するための障害識別情報および／または個々の障害が持つ障害特徴情報を含んで構成される障害情報を移動体通信装置に発行する障害管理サーバと、
障害の特徴情報を取得する手段と、自機の位置を測位する手段とを有し、前記障害管理サーバから取得した前記障害情報に基づき、依頼された障害の特徴情報が存在する位置の探索を行なう少なくとも１つ以上の移動体通信装置とを備える障害情報提供システムであって、
前記移動体通信装置は、依頼された障害の特徴情報の存在を検知したとき、前記障害管理サーバに該検知した位置情報および時間情報を、その障害の特徴情報とともに通知し、
前記障害管理サーバは、前記端末装置に前記検知した位置情報、時間情報および物品の特徴情報に基づいて推定される障害の位置情報を通知し、前記端末装置に出力させることを特徴とする障害情報提供システム。
【請求項２】
前記障害管理サーバ装置は、前記端末装置から受け付けた、優先的に探索を行う領域を示す優先探索エリア情報を保持し、該優先探索エリア情報に基づいて所定のエリアに存在する前記移動体通信装置に優先的に探索させることを特徴とする請求項１記載の障害情報提供システム。
【請求項３】
前記移動体通信装置は、依頼された障害の特徴情報の存在を検知したとき、前記障害管理サーバに該検知した位置情報および時間情報を、その障害の特徴情報とともに定期的に通知することを特徴とする請求項１または２記載の障害情報提供システム。
【請求項４】
探索したい障害および／または該探索したい障害の特徴情報を少なくとも含む探索依頼情報を送ることで、該障害が存在する位置の探索を障害管理サーバに依頼する端末装置と、
前記端末装置からの探索依頼を受け付け、前記探索依頼情報に基づき、少なくとも、個々の障害を識別するための障害識別情報および／または個々の障害が持つ障害特徴情報を含んで構成される障害情報を移動体通信装置に発行する障害管理サーバと、
障害の特徴情報を取得する手段と、自機の位置を測位する手段とを有し、前記障害管理サーバから取得した前記障害情報に基づき、依頼された障害の特徴情報が存在する位置の探索を行なう少なくとも１つ以上の移動体通信装置とを備える障害情報提供システムにおける障害管理サーバであって、
前記移動体通信装置から、依頼された障害の特徴情報の存在を検知したとき、該検知した位置情報および時間情報を、その障害の特徴情報とともに通知を受け、
前記端末装置に前記検知した位置情報、時間情報および物品の特徴情報に基づいて推定される障害の位置情報を通知し、前記端末装置に出力させることを特徴とする障害管理サーバ。
【請求項５】
前記端末装置から受け付けた、優先的に探索を行う領域を示す優先探索エリア情報を保持し、該優先探索エリア情報に基づいて所定のエリアに存在する前記移動体通信装置に優先的に探索させることを特徴とする請求項４記載の障害管理サーバ。
【請求項６】
前記移動体通信装置から、依頼された障害の特徴情報の存在を検知したとき、該検知した位置情報および時間情報を、その障害の特徴情報とともに定期的に通知を受けることを特徴とする請求項４または５記載の障害管理サーバ。
【請求項７】
探索したい障害および／または該探索したい障害の特徴情報を少なくとも含む探索依頼情報を送ることで、該障害が存在する位置の探索を障害管理サーバに依頼する端末装置と、
前記端末装置からの探索依頼を受け付け、前記探索依頼情報に基づき、少なくとも、個々の障害を識別するための障害識別情報および／または個々の障害が持つ障害特徴情報を含んで構成される障害情報を移動体通信装置に発行する障害管理サーバと、
障害の特徴情報を取得する手段と、自機の位置を測位する手段とを有し、前記障害管理サーバから取得した前記障害情報に基づき、依頼された障害の特徴情報が存在する位置の探索を行なう少なくとも１つ以上の移動体通信装置とを備える障害情報提供システムにおける移動体通信装置であって、
依頼された障害の特徴情報の存在を検知したとき、前記障害管理サーバに該検知した位置情報および時間情報を、その障害の特徴情報とともに通知し、
前記障害管理サーバから、前記検知した位置情報、時間情報および物品の特徴情報に基づいて推定される障害の位置情報の通知を受け、出力することを特徴とする移動体通信装置。
【請求項８】
探索したい障害および／または該探索したい障害の特徴情報を少なくとも含む探索依頼情報を送ることで、該障害が存在する位置の探索を障害管理サーバに依頼する端末装置と、
前記端末装置からの探索依頼を受け付け、前記探索依頼情報に基づき、少なくとも、個々の障害を識別するための障害識別情報および／または個々の障害が持つ障害特徴情報を含んで構成される障害情報を移動体通信装置に発行する障害管理サーバと、
障害の特徴情報を取得する手段と、自機の位置を測位する手段とを有し、前記障害管理サーバから取得した前記障害情報に基づき、依頼された障害の特徴情報が存在する位置の探索を行なう少なくとも１つ以上の移動体通信装置とを利用した障害情報提供方法であって、
前記移動体通信装置は、依頼された障害の特徴情報の存在を検知したとき、前記障害管理サーバに該検知した位置情報および時間情報を、その障害の特徴情報とともに通知し、
前記障害管理サーバは、前記端末装置に前記検知した位置情報、時間情報および物品の特徴情報に基づいて推定される障害の位置情報を通知し、前記端末装置に出力させることを特徴とする障害情報提供方法。
【請求項９】
前記障害管理サーバ装置は、前記端末装置から受け付けた、優先的に探索を行う領域を示す優先探索エリア情報を保持し、該優先探索エリア情報に基づいて所定のエリアに存在する前記移動体通信装置に優先的に探索させることを特徴とする請求項８記載の障害情報提供方法。
【請求項１０】
前記移動体通信装置は、依頼された障害の特徴情報の存在を検知したとき、前記障害管理サーバに該検知した位置情報および時間情報を、その障害の特徴情報とともに定期的に通知することを特徴とする請求項８または９記載の障害情報提供方法。
【請求項１１】
コンピュータシステムに請求項１から７のいずれか１項に記載の機能を実現させることを特徴とするプログラム。
【発明の詳細な説明】
【技術分野】
【０００１】
本発明は、故障・障害の検出を行なう技術に関し、特に、携帯端末等を利用したもので、携帯端末等に各種のセンサーを取り付け、故障・障害の検出を行なう技術に関する。
【背景技術】
【０００２】
従来、あるユーザの家電品に故障が発生した場合、家庭内通信端末から自動的に家電品修理対応サーバにアクセスして故障した家電品、故障情報、所在地情報を送信し、修理対応情報サービスが提供する家電品修理対応技術があった。これについては、例えば、特許文献１に記載されたものが知られている。
【特許文献１】特開２００２−３５２０２５号公報
【発明の開示】
【発明が解決しようとする課題】
【０００３】
しかしながら、従来の情報システムでは、各家電製品に通信機能が装備されているのが前提の方式であり、通信機能が装備されていない場合の障害の通知については考慮されていないという課題を有していた。
【０００４】
本発明は、以上のような課題を解決するためになされたもので、複数の携帯端末にセンサーを搭載して障害を検知するため、対象の装置に通信装置が備わっていない場合でも障害を検出でき、通知される確率を向上させることを目的とする。
【課題を解決するための手段】
【０００５】
本発明は、探索したい障害および／または該探索したい障害の特徴情報を少なくとも含む探索依頼情報を送ることで、該障害が存在する位置の探索を障害管理サーバに依頼する端末装置と、
前記端末装置からの探索依頼を受け付け、前記探索依頼情報に基づき、少なくとも、個々の障害を識別するための障害識別情報および／または個々の障害が持つ障害特徴情報を含んで構成される障害情報を移動体通信装置に発行する障害管理サーバと、
障害の特徴情報を取得する手段と、自機の位置を測位する手段とを有し、前記障害管理サーバから取得した前記障害情報に基づき、依頼された障害の特徴情報が存在する位置の探索を行なう少なくとも１つ以上の移動体通信装置とを備える障害情報提供システムであって、
前記移動体通信装置は、依頼された障害の特徴情報の存在を検知したとき、前記障害管理サーバに該検知した位置情報および時間情報を、その障害の特徴情報とともに通知し、
前記障害管理サーバは、前記端末装置に前記検知した位置情報、時間情報および物品の特徴情報に基づいて推定される障害の位置情報を通知し、前記端末装置に出力させる障害情報提供システムを提供する。
【０００６】
また、本発明は、探索したい障害および／または該探索したい障害の特徴情報を少なくとも含む探索依頼情報を送ることで、該障害が存在する位置の探索を障害管理サーバに依頼する端末装置と、
前記端末装置からの探索依頼を受け付け、前記探索依頼情報に基づき、少なくとも、個々の障害を識別するための障害識別情報および／または個々の障害が持つ障害特徴情報を含んで構成される障害情報を移動体通信装置に発行する障害管理サーバと、
障害の特徴情報を取得する手段と、自機の位置を測位する手段とを有し、前記障害管理サーバから取得した前記障害情報に基づき、依頼された障害の特徴情報が存在する位置の探索を行なう少なくとも１つ以上の移動体通信装置とを備える障害情報提供システムにおける障害管理サーバであって、
前記移動体通信装置から、依頼された障害の特徴情報の存在を検知したとき、該検知した位置情報および時間情報を、その障害の特徴情報とともに通知を受け、
前記端末装置に前記検知した位置情報、時間情報および物品の特徴情報に基づいて推定される障害の位置情報を通知し、前記端末装置に出力させる障害管理サーバを提供する。
【０００７】
また、本発明は、探索したい障害および／または該探索したい障害の特徴情報を少なくとも含む探索依頼情報を送ることで、該障害が存在する位置の探索を障害管理サーバに依頼する端末装置と、
前記端末装置からの探索依頼を受け付け、前記探索依頼情報に基づき、少なくとも、個々の障害を識別するための障害識別情報および／または個々の障害が持つ障害特徴情報を含んで構成される障害情報を移動体通信装置に発行する障害管理サーバと、
障害の特徴情報を取得する手段と、自機の位置を測位する手段とを有し、前記障害管理サーバから取得した前記障害情報に基づき、依頼された障害の特徴情報が存在する位置の探索を行なう少なくとも１つ以上の移動体通信装置とを備える障害情報提供システムにおける移動体通信装置であって、
依頼された障害の特徴情報の存在を検知したとき、前記障害管理サーバに該検知した位置情報および時間情報を、その障害の特徴情報とともに通知し、
前記障害管理サーバから、前記検知した位置情報、時間情報および物品の特徴情報に基づいて推定される障害の位置情報の通知を受け、出力する移動体通信装置を提供する。
【０００８】
また、本発明は、探索したい障害および／または該探索したい障害の特徴情報を少なくとも含む探索依頼情報を送ることで、該障害が存在する位置の探索を障害管理サーバに依頼する端末装置と、
前記端末装置からの探索依頼を受け付け、前記探索依頼情報に基づき、少なくとも、個々の障害を識別するための障害識別情報および／または個々の障害が持つ障害特徴情報を含んで構成される障害情報を移動体通信装置に発行する障害管理サーバと、
障害の特徴情報を取得する手段と、自機の位置を測位する手段とを有し、前記障害管理サーバから取得した前記障害情報に基づき、依頼された障害の特徴情報が存在する位置の探索を行なう少なくとも１つ以上の移動体通信装置とを利用した障害情報提供方法であって、
前記移動体通信装置は、依頼された障害の特徴情報の存在を検知したとき、前記障害管理サーバに該検知した位置情報および時間情報を、その障害の特徴情報とともに通知し、
前記障害管理サーバは、前記端末装置に前記検知した位置情報、時間情報および物品の特徴情報に基づいて推定される障害の位置情報を通知し、前記端末装置に出力させる障害情報提供方法を提供する。
【発明の効果】
【０００９】
本発明によれば、複数の携帯端末にセンサーを搭載して障害を検知するため、対象の装置に通信装置が備わっていない場合でも障害を検出でき、通知される確率を向上させることができる。
【発明を実施するための最良の形態】
【００１０】
以下、本発明の実施の形態について図面を参照して詳細に説明する。
【００１１】
図１は、本実施の形態における障害情報提供システムの全体の構成図である。
【００１２】
図１では、ある障害を探索したい依頼者が、ある地域において、その障害を探索する場合を示している。また、この障害は、例えば、装置１０３Ａがある色を発色し、同時に高熱を発生する、あるいは装置１０３Ｂが炎を出しているものとする。このような状況を想定し、まず、そのような障害の探索を可能とした本実施の形態における障害情報提供システムの全体構成の概要について説明する。
【００１３】
図１において、端末装置１０２２は、後述する障害管理サーバ１０４に対して、障害等を探索したい場合に、その障害が存在する位置の探索を依頼する探索依頼、などを行なう情報処理装置である。なお、端末装置１０２２は、携帯端末装置であってもよい。
【００１４】
端末装置１０２２は、インターネットなどのネットワークを介して、障害管理サーバ１０４に接続され、両者間での情報通信が可能である。
【００１５】
端末装置１０２２において、ある障害を探索したいとき、その障害が存在する位置の探索を障害管理サーバ１０４に依頼する。
【００１６】
端末装置１０２２は、探索したい障害の情報、およびその障害の推定される場所としての優先探索エリア情報、およびその探索依頼情報を取得した時間を、障害管理サーバ１０４に送信し、その障害の探索依頼を行なう。
【００１７】
障害管理サーバ１０４は、例えば、各障害の情報と位置情報、およびこれらの情報を取得した時間情報を管理する情報処理装置である。
【００１８】
障害管理サーバ１０４は、端末装置１０２２からの探索依頼を受け付け、探索依頼情報に基づいて、障害に関する情報としての障害情報を、データベース１０４Ｄから探索する。そして、その探索結果を探索依頼した端末装置１０２２に対して通知する。
【００１９】
障害管理サーバ１０４は、探索依頼を後述する携帯端末装置１０２に対して発行し、携帯端末装置１０２から探索結果を受け取ってデータベース１０４Ｄの作成、随時更新を行なう。
【００２０】
障害管理サーバ１０４は、端末装置１０２２からの障害の探索依頼に対して、その探索依頼を受け付ける。特に、障害管理サーバ１０４は、障害の探索依頼を受け付ける場合、障害の情報または特徴情報と、その障害があると推定される場所の情報を優先探索エリア情報として受け付ける。
【００２１】
障害の情報または特徴情報としては、例えば、火災といった一般的な障害情報でもよく、または、その障害の特徴を示す、「青白い色、２００℃以上の高熱」といった特徴情報でもよい。
【００２２】
優先探索エリア情報としては、例えば、その障害の推定場所として、建物のある階層、または、ある位置を中心とした半径長で示されるような領域あるいは範囲を示すような情報として指定される。一例として、「２Ｆフロア、または柱番号１−３から半径５００ｍ以内」のような情報でよい。
【００２３】
また、障害管理サーバ１０４は、探索依頼情報に基づき、障害に関する情報としての障害の特徴情報を、後述する携帯端末装置１０２に対して発行する。このとき、障害管理サーバ１０４は、この障害捜索情報を、優先探索エリア（例えば、図１の２００に示すエリア）を通過する携帯端末装置１０２に対して優先的に発行することを特徴とする。
【００２４】
このような特徴を有した機能を実現するため、まず、障害管理サーバ１０４は、携帯端末装置１０２に対して基地局１０１を介して、依頼者が探索を希望する障害の特徴情報を送信する。そして、携帯端末装置１０２は、受信した特徴情報を特徴記憶部１１１に記憶する。なお、基地局１０１は、障害管理サーバ１０４と後述する携帯端末装置１０２との間で通信するための通信手段である。
【００２５】
携帯端末装置１０２は、センサーを利用して、近辺にある障害の特徴をもつ情報を探索する。特徴が発見された場合は、その特徴情報と位置、時間情報を障害管理サーバ１０４に通知する。
【００２６】
さらに、障害管理サーバ１０４は、携帯端末装置１０２から、障害の特徴と位置・時間情報を取得し、データベース１０４Ｄを作成する。
【００２７】
障害管理サーバ１０４は、端末装置１０２２に、作成されたデータベース１０４Ｄをもとに、特徴を有する障害があると思われる位置情報と、その携帯端末装置１０２がセンサーにより取得した障害の特徴情報、およびその情報を確認した時間を端末装置１０２２の表示画面上に表示させる（図４参照）。
【００２８】
携帯端末装置１０２は、障害管理サーバ１０４と通信可能な移動体通信装置であり、さらに、自己の位置を検知することが可能なＧＰＳ（Global Positioning System）などの測位手段を有している。携帯端末装置１０２は、人工衛星である複数のＧＰＳ衛星１０３に衛星回線で接続され、ＧＰＳ衛星１０３からの電波を基にして自機の位置情報を２次元または３次元情報として提供される。さらに、携帯端末装置１０２は、音・画像・赤外線センサーなどをもち、周辺にある障害の特徴情報を測定および分析することが可能な機能を有している。
【００２９】
また、本障害情報提供システムは、このような携帯端末装置１０２を複数利用し、移動が可能な複数の携帯端末装置１０２により、障害の探索を行なうシステムである。
【００３０】
携帯端末装置１０２は、音・画像・赤外線センサーなどをもち、周辺にある障害の特徴情報を測定および分析する機能を有するため、障害管理サーバ１０４からの障害捜索情報に基づき、依頼された特徴が存在する障害の位置の探索ができる。
【００３１】
また、携帯端末装置１０２は、依頼された障害の特徴情報の存在とともに、測位手段により、依頼された障害が存在する位置の情報である位置情報および測定した時間の情報を、障害管理サーバ１０４に対して通知する。
【００３２】
障害管理サーバ１０４は、通知された障害の特徴情報と位置、および測定が行われた時間の情報を取得し、データベース１０４Ｄの更新を行なう。
【００３３】
以上のような本障害情報提供システムの構成により、例えば、所定の障害を探索した場合に、端末装置１０２２から障害管理サーバ１０４に依頼することで、複数の携帯端末装置１０２によりセンサーを利用して探索できる。
【００３４】
さらに、所定の障害の特徴を持つ障害が存在する位置、あるいは近辺の位置を検知した携帯端末装置１０２からの検知位置情報の通知により、依頼者は、障害の位置、あるいは近辺の位置を絞り込むことができる。
【００３５】
障害管理サーバ１０４の障害情報提供部１０４Ｂは、端末装置１０２２から障害管理サーバ１０４にアクセスされると、端末装置１０２２にページ情報を取得させ、取得させたページ情報の中に、障害情報またはその特徴情報と、探索エリア情報を要求する表示と、決定選択表示とを表示部に出力させる（図３参照）。
【００３６】
ユーザは、探索を行いたい障害の特徴情報、および、優先的に探索するエリア情報を特定の場所名または位置情報とその範囲として入力し、決定選択することで、入力した特徴情報および位置情報が障害管理サーバ１０４の障害情報提供部１０４Ｂに送信される。
【００３７】
なお、障害の特徴情報は、その特徴を現す画像データまたは音声データの指定による入力であっても良い。また、特定の場所名または位置情報は、表示部に表示された地図上の特定地点の指定による入力であってもよい。
【００３８】
図４に示すように、障害情報提供部１０４Ｂは、障害情報を要求があった端末装置１０２２に送信し、端末装置１０２２の表示上に障害の位置情報を表示させ、依頼者が障害の詳細状況を確認することを可能にする。なお、障害の特徴情報については、測定された情報を詳しく表示する機能があってもよい。
【００３９】
図５は、図１における場所名・位置範囲変換および障害情報サーバ１０５の場所名データベース１０５Ａ、障害情報データベース１０５Ｂに保持される、特定の場所名に対する位置範囲のデータと特定の障害に関する特徴的な情報のデータを説明する図である。
【００４０】
図５に示すように、場所名データベース１０５Ａには特定の場所名毎の位置範囲情報が２次元または３次元データとして保持され、囲まれる位置範囲が特定の場所名「２Ｆフロア」に変換される。
【００４１】
また、データベース１０５Ｂには、特定の障害に関係する特徴的な情報が、音声、画像、パターンデータなどの形として保持され、障害の特徴情報が、指定の障害名「火災」に変換される。なお、場所名データベース１０５Ａ、障害情報データベース１０５Ｂは随時情報の修正、追加、削除が可能である。
【００４２】
図２は、携帯端末装置１０２のセンサー部の詳細を示すブロック図である。図２に示すように、センサー部１１は、障害の特徴情報を記憶する特徴記憶部１１１、センサーにより障害の情報を取得するセンサー部１１２、取得した情報から特徴を分析・抽出する特徴分析部１１３、およびセンサー部全体を制御する制御部１１０により構成される。
【００４３】
センサー部１１２は、端末装置１０２２から入力された障害の特徴情報に類似の情報を
センサーを利用して取得する。
【００４４】
特徴記憶部１１１は、障害管理サーバ１０４から送られてきた障害の特徴情報を記憶する。
【００４５】
特徴分析部１１３は、センサー部１１２から取得した障害情報から、特に、障害の探索に使用する情報・パターンを抽出し、特徴記憶部１１１に記憶した特徴情報との比較を行なう。
【００４６】
類似した特徴が発見された場合は、その障害の特徴情報を、測位部１１４からの障害の位置情報および発見した時間の情報とともに、障害管理サーバ１０４に通信部１１５を利用して送信する。
【００４７】
図２は、障害管理サーバ１０４のデータベース１０４Ｄの構成例を示した図である。図２では、障害情報が、電話・ＩＰアドレス情報、位置情報、障害の特徴情報、および測定日時により構成された一例を示している。
【００４８】
電話・ＩＰアドレス情報は、障害の情報を取得した携帯端末装置１０２の持つ電話番号またはＩＰアドレスであり、また、位置は、障害の情報を取得したときの端末および障害の位置情報であり、また、障害の特徴は、センサーが測定した色柄、温度などの障害の特徴情報、測定日時は特徴情報を測定した時間である。
【００４９】
以下、図面を参照し、以上のように構成された本実施の形態における障害情報提供システムにより、障害を発見するための、各装置における動作について詳細に説明する。
【００５０】
まず、障害「火災」を捜索したい場合について図７を用いて説明する。
端末装置１０２２から、探索したい障害「火災」に関する情報を障害管理サーバ１０４に送信し、障害の探索を依頼する。
【００５１】
このとき、端末装置１０２２からは、障害名もしくは障害の特徴情報および、もし分かるのであれば障害の場所に関して優先的に探索するエリア情報を障害管理サーバ１０４に報告する。
【００５２】
障害の特徴情報の例としては、「２００℃以上の高温、青白い色」、優先探索エリア情報の例としては、「２Ｆフロア」「２０１−２０４号室」などのような情報がある。
【００５３】
障害管理サーバ１０４は、障害情報および優先探索エリア情報を場所名・位置範囲変換および障害情報サーバ１０５に送信し、場所名・位置範囲変換および障害情報サーバ１０５は、場所名データベース１０５Ａおよび障害情報データベース１０５Ｂを利用して、優先探索エリア情報を２次元または３次元の座標情報に、障害情報を障害の特徴情報に変換する。
【００５４】
障害管理サーバ１０４の障害情報提供部１０４Ｂは、携帯端末装置１０２からの優先探索エリア情報に基づき、優先探索エリア情報が示す領域を通過する携帯端末装置１０２に対して、優先的に障害探索の依頼情報を送信する。これにより、障害を探索し検知する準備が完了する。
【００５５】
障害管理サーバ１０４の障害情報提供部１０４Ｂの動作について、より具体的な一例を挙げる。例えば、依頼内容として、「２Ｆフロア」という優先探索エリアの希望要求があった場合、障害情報提供部１０４Ｂは、優先探索エリアが示す領域を場所名・位置範囲変換および障害情報サーバ１０５により座標情報に変換する。そして、この座標範囲を通過する携帯端末装置１０２には、障害探索要求として、探索依頼のあった障害の特徴情報が通知される。携帯端末装置１０２を所持した人物が、探索するエリアを移動することにより、通知された障害の探索が行われることとなる。
【００５６】
携帯端末装置１０２は、自機の移動に伴って、センサー部１１２により周辺の障害から色や温度などの情報を取得する。特徴分析部１１３は、取得した測定情報から特徴情報を分析・抽出し、特徴記憶部１１１に記憶されている特徴情報と比較を行なう。
【００５７】
携帯端末装置１０２が、探索をおこなっている障害と類似の特徴のある障害を発見した場合、通信部１１５は、発見した障害の特徴情報と測定を行った時間を障害管理サーバ１０４に通知する。同時に、測位部１１４は、発見場所付近の位置情報を獲得し、検知位置情報として通信部１１５に通知する（Ｓ２１１）。
【００５８】
障害管理サーバ１０４は、この通知を受け付け、発見障害の特徴情報、位置および測定時間情報を、データベース１０４Ｄに登録する（Ｓ２１２）。定期的に通知を受け付けることで時系列での追跡分析も可能となる。
【００５９】
端末装置１０２２は、障害情報提供部１０４Ｂにアクセスすることで、探索している障害と類似の障害の位置を特定することができる。表示例としては、図４が考えられる。
【００６０】
すなわち、障害情報提供部１０４Ｂが特定の場所名または位置の障害情報を要求すると（Ｓ２１３）、障害状況算出部１０４Ｃは、データベース１０４Ｄおよび場所名データベース１０５Ａを参照して、特定の場所名または位置の周囲の障害情報を算出する（Ｓ２１４）。
【００６１】
次に、障害管理サーバ１０４から場所名・位置範囲変更及び障害情報サーバ１０５へ特定の場所名と測定した障害情報を渡す（Ｓ２１５）。
【００６２】
場所名・位置範囲変更及び障害情報サーバ１０５は、障害情報データベース１０５Ｂを参照して特定の場所の障害情報を基にその場所の障害状況を推定する（Ｓ２１６）。
【００６３】
障害情報提供部１０４Ｂは、位置周囲の障害情報と場所名・位置範囲変更及び障害情報サーバ１０５から取得した障害状況を端末装置１０２２に通知する（Ｓ２１７）。
【００６４】
以上説明したように、本実施の形態における障害情報提供システムは、不特定多数の移動体通信装置に各種センサーを搭載し、さらに測定データを分析する特徴分析部を設けることで、近辺にある障害から特徴データを抽出して、類似の特徴のある障害の位置を探索する。
【００６５】
特に、本実施の形態における障害情報提供システムは、各種センサーを利用して探索を行なうため、無線通信装置が装備されていないさまざまな障害の検知に有効である。なお、本実施の形態における障害情報提供システムは、無線通信装置や測定機１０２１を使用した障害情報提供システムに、補助的な形で使用することも可能である。
【００６６】
なお、上述する各実施の形態は、本発明の好適な実施の形態であり、本発明の要旨を逸脱しない範囲内において種々変更実施が可能である。例えば、端末装置１０２２、携帯端末装置１０２および各サーバの機能を実現するためのプログラムを各装置に読込ませて実行することにより各装置の機能を実現する処理を行ってもよい。さらに、そのプログラムは、コンピュータ読み取り可能な記録媒体であるＣＤ−ＲＯＭまたは光磁気ディスクなどを介して、または伝送媒体であるインターネット、電話回線などを介して伝送波により他のコンピュータシステムに伝送されてもよい。
【図面の簡単な説明】
【００６７】
【図１】本発明の実施の形態に係る障害情報提供システムの全体の構成図である。
【図２】本発明の実施の形態に係る障害管理サーバのデータベースの構成例を示した図である。
【図３】本発明の実施の形態に係る端末装置の障害情報等の入力画面を説明する図である。
【図４】本発明の実施の形態に係る端末装置の障害情報の提供画面を説明する図である。
【図５】本発明の実施の形態に係る場所名・位置範囲変換および障害情報サーバのデータベースに保持される、特定の場所名に対する位置範囲のデータを説明する図である。
【図６】本発明の実施の形態における障害情報提供システムの携帯端末装置の詳細を示すブロック図である。
【図７】本発明の実施の形態に係る処理動作を示すフローチャートである。
【符号の説明】
【００６８】
１０１    基地局
１０２    携帯端末装置
１０３    ＧＰＳ衛星
１０３Ａ，１０３Ｂ    障害のある装置
１０４    障害管理サーバ
１０５    場所名・位置範囲変換および障害情報サーバ
１０２２    端末装置
２００    優先探索エリア
【図１】
2008242981.tif 000003
【図２】
2008242981.tif 000004
【図３】
2008242981.tif 000005
【図４】
2008242981.tif 000006
【図５】
2008242981.tif 000007
【図６】
2008242981.tif 000008
【図７】
2008242981.tif 000009